(57)【要約】      （修正有）【課題】仮想ディスプレイデバイスを提供する。【解決手段】仮想ディスプレイデバイスＡは固定台３、反射モジュール４、拡大モジュール５を有する。固定台３は拡大モジュール５の第二回転軸ユニット５２により背蓋５３を連結しボックス体を構成する。固定台３は反射片４１、サポートフレーム４３を収納し、これにより便利にクローズでき、展開後にイメージを直接拡大できる。【選択図】図２
0003215183.tif 000002
【実用新案登録請求の範囲】
【請求項１】
仮想ディスプレイデバイスであって、固定台、反射モジュール、拡大モジュール、固定台を有し、
前記固定台には、収容設置空間を設置し、
前記反射モジュールは、反射片、第一回転軸ユニット及びサポートフレームを有し、前記反射片片側と前記サポートフレームとは枢接し、前記反射片は、投射イメージを受け取り、前記投射イメージを反射し、前記第一回転軸ユニットは、前記固定台と前記サポートフレームを枢接し、
前記拡大モジュールは、拡大片、第二回転軸ユニット及び背蓋を有し、前記拡大片と前記背蓋とは、結合し、前記拡大片は、前記反射片の反射イメージを受け取り、前記反射イメージを拡大して表示し、前記第二回転軸ユニットは、前記固定台に枢接し、ことを特徴とする仮想ディスプレイデバイス。
【請求項２】
前記反射片は、凸面鏡であることを特徴とする請求項１に記載の仮想ディスプレイデバイス。
【請求項３】
前記拡大片は、凹面鏡であることを特徴とする請求項１に記載の仮想ディスプレイデバイス。
【請求項４】
前記反射片片側には、対応する２個の支軸を設置し、前記２個の支軸は、前記サポートフレームの２個の第三軸孔に対応して枢接し、しかも前記支軸は、第四トルクバネに対応し、前記第四トルクバネは、上向きの弾力を提供し、こうして前記反射片は上方へ開くことを特徴とする請求項１に記載の仮想ディスプレイデバイス。
【請求項５】
前記第一回転軸ユニットは、第二トルクバネと第一定位軸を有し、前記第二トルクバネは、上向きの弾力を提供し、これにより前記サポートフレームは上方へと開くことを特徴とする請求項１に記載の仮想ディスプレイデバイス。
【請求項６】
前記第二回転軸ユニットは、回転軸、ダンパー、２個の第二定位軸及び第三トルクバネを有し、
前記ダンパーは、前記回転軸の片側に接続し、
前記第三トルクバネは、前記回転軸の反対側に設置し、前記第二定位軸は、前記固定台及び前記回転軸を貫通し、前記第三トルクバネは、上向きの弾力を提供し、こうして前記拡大モジュールは上方へと開き、前記ダンパーにより、前記拡大モジュールが開く速度は安定し、一致することを特徴とする請求項１に記載の仮想ディスプレイデバイス。
【請求項７】
前記収容設置空間には、固定部材を設置することを特徴とする請求項１に記載の仮想ディスプレイデバイス。
【請求項８】
前記固定台底側には、スタンドを設置し、前記スタンドは、必要に応じて前記固定台の持ちあげ角度を調整することを特徴とする請求項１に記載の仮想ディスプレイデバイス。
【請求項９】
前記サポートフレームには、開口を設置することを特徴とする請求項１に記載の仮想ディスプレイデバイス。
【請求項１０】
前記背蓋には、係合爪を設置し、前記固定台には、係合槽及び少なくとも１個の操作部材を設置し、前記操作部材は、前記固定台の片側辺に設置され、前記係合爪は、前記係合槽に係合され、前記背蓋を収納することを特徴とする請求項１に記載の仮想ディスプレイデバイス。
【請求項１１】
仮想ディスプレイデバイスであって、固定台、反射モジュール、拡大モジュール、少なくとも１個のサポートフレームを有し、
前記固定台には、収容設置空間を設置し、
前記反射モジュールは、反射片を有し、前記反射片は、投射イメージを受け取り、前記投射イメージを反射し、
前記拡大モジュールは、拡大片及び背蓋を有し、前記拡大片と前記背蓋とは、結合し、前記拡大片は、前記反射片の反射イメージを受け取り、前記反射イメージを拡大して表示し、
前記少なくとも１個のサポートフレームは、フレーム体、第一回転軸ユニット及び第二回転軸ユニットを有し、前記第一回転軸ユニットは、前記フレーム体の一端に設置され、前記第二回転軸ユニットは、前記フレーム体の反対端に設置され、前記第一回転軸ユニットと前記反射モジュールとは枢接し、前記第二回転軸ユニットは、前記拡大モジュールと前記固定台に枢接し、
前記拡大モジュールの背蓋と前記サポートフレームは開く時、同一軸心で回転し、前記固定台は、前記第二回転軸ユニットにより前記背蓋を連結し、ボックス体を構成し、
前記ボックス体内部空間には、前記反射モジュールを収納することを特徴とする仮想ディスプレイデバイス。
【請求項１２】
前記反射片は、凸面鏡であることを特徴とする請求項１１に記載の仮想ディスプレイデバイス。
【請求項１３】
前記拡大片は、凹面鏡であることを特徴とする請求項１１に記載の仮想ディスプレイデバイス。
【請求項１４】
前記反射モジュール片側には、少なくとも第一枢接台を設置し、前記第一枢接台には、第一軸孔を設置し、前記第一回転軸ユニットは、第一回転軸及び第一トルクバネを有し、前記第一回転軸は、前記第一軸孔に枢接され、前記第一トルクバネは、上向きの弾力を提供し、これにより前記反射モジュールは上方へと開くことを特徴とする請求項１１に記載の仮想ディスプレイデバイス。
【請求項１５】
前記拡大モジュール片側には、少なくとも第二枢接台を設置し、前記第二回転軸ユニットは、軸孔台、第二回転軸及び第二トルクバネを有し、
前記固定台片側には、回転軸サポート台を設置し、前記第二回転軸は、前記第二枢接台と前記回転軸サポート台に枢接され、前記第二トルクバネは、上向きの弾力を提供し、これにより前記拡大モジュール及び前記サポートフレームは、上方へと開くことを特徴とする請求項１１に記載の仮想ディスプレイデバイス。
【請求項１６】
前記固定台底側には、スタンドを設置し、前記スタンドは、必要に応じて前記固定台の持ちあげ角度を調整することを特徴とする請求項１１に記載の仮想ディスプレイデバイス。
【請求項１７】
前記固定台反対側には、第一嵌合機構を設置し、前記拡大モジュール反対側には、第二嵌合機構を設置し、前記第二嵌合機構と前記第一嵌合機構とは対応して嵌合し、前記背蓋を固定することを特徴とする請求項１１に記載の仮想ディスプレイデバイス。
【請求項１８】
前記収容設置空間には、固定部材を設置することを特徴とする請求項１１に記載の仮想ディスプレイデバイス。
【請求項１９】
前記固定台は、前記第二回転軸ユニットにより、前記背蓋及び前記サポートフレームに連結し、ボックス体を構成することを特徴とする請求項１１に記載の仮想ディスプレイデバイス。
【請求項２０】
前記第二枢接台には、第一位置限定欠槽を設置し、
前記第二回転軸ユニットには、第二位置限定欠槽を設置し、
前記第一位置限定欠槽と前記第二位置限定欠槽とは、対応して嵌合し、
これにより、前記背蓋が上方へと所定の位置まで開くと、前記サポートフレームと係合して連動し、回転して作動することを特徴とする請求項１５に記載の仮想ディスプレイデバイス。
【考案の詳細な説明】
【技術分野】
【０００１】
本考案は仮想ディスプレイデバイスに関し、特に便利にクローズできる仮想ディスプレイデバイスで、展開後にイメージを直接拡大できる仮想ディスプレイデバイスに関する。
【背景技術】
【０００２】
スマートフォンの機能が拡充され、インターネットと無線通信の技術が日増しに発展するにつれて、スマートフォンは多くの電子デバイスに取って代わるようになっている。
いつでも外からのメッセージを受け取ることができ、車内でもナビゲーションを行い、インターネットに繋がり、友人とメッセージのやり取りをすることができる。
スマートフォンは非常に便利だが、画面が比較的小さいため、スクリーンサイズは年々拡大している。とは言っても、サイズにはやはり制限がある。
【０００３】
上記の問題を解決するため、業界では各種ソリューションが提出されてきた。
図１に示す通り、特許文献１に開示する携帯電話スクリーン拡大投影器は、投射鏡１及び拡大鏡２を有する。
投射鏡１には、鏡面１０を設置する。
鏡面１０は、凹弧度を備え、これにより携帯電話Ｔスクリーンから得たイメージ内容を、拡大鏡２に投射する。
投射鏡１は、ベース１１と相互に結合し、クローズ／展開操作を実現する。
拡大鏡２には、鏡面２０を設置する。
鏡面２０は、凹弧度を備え、これにより投射鏡１から受け取った携帯電話Ｔスクリーンイメージ内容を拡大する。
拡大鏡２とベース１１とは、相互に結合し、クローズ／展開操作を実現する。
投射鏡１は、携帯電話Ｔイメージを受け取り、拡大鏡２に反射し、次に拡大鏡２で携帯電話Ｔイメージを拡大し、見易くする。
特許文献１の効果は、携帯電話スクリーン拡大投影器を提供することで、使用者は携帯電話Ｔのイメージ内容を拡大して表示できるようになり、使用者はスクリーン内容を便利に見られるようになることである。
特許文献１において、現時点の携帯電話画面拡大の技術は向上させられているが、投射鏡と拡大鏡を自ら展開できないなどの欠点がなお存在する。
【先行技術文献】
【特許文献】
【０００４】
【特許文献１】中国特許第ＣＮ２０３６０８２８２Ｕ号明細書
【考案の概要】
【考案が解決しようとする課題】
【０００５】
前記先行技術には、投射鏡と拡大鏡を自ら展開できないという欠点がある。
【課題を解決するための手段】
【０００６】
本考案は便利にクローズできる仮想ディスプレイデバイスで、展開後にイメージを直接拡大できる仮想ディスプレイデバイスに関する。
【０００７】
本考案による仮想ディスプレイデバイスの第一実施形態は、固定台、反射モジュール、拡大モジュール、固定台を有する。
該固定台には、収容設置空間を設置する。
該反射モジュールは、反射片、第一回転軸ユニット及びサポートフレームを有する。
該反射片片側と該サポートフレームとは枢接する。
該反射片は、凸面鏡で、該反射片は、投射イメージを受け取り、該投射イメージを反射し、該第一回転軸ユニットは、該固定台と該サポートフレームを枢接する。
該拡大モジュールは、拡大片、第二回転軸ユニット及び背蓋を有する。
該拡大片と該背蓋とは、結合する。
該拡大片は、凹面鏡で、該拡大片は、該反射片の反射イメージを受け取り、該反射イメージを拡大して表示する。
該第二回転軸ユニットは、該固定台に枢接する。
該固定台は、該第二回転軸ユニットにより該背蓋を連結し、ボックス体を構成する。
該固定台は、該反射片と該サポートフレームを収納する。
【０００８】
該反射片片側には、対応する２個の支軸を設置し、該２個の支軸は、該サポートフレームの２個の第三軸孔に対応して枢接し、しかも該支軸は、第四トルクバネに対応し、該第四トルクバネは、上向きの弾力を提供し、こうして該反射片は上方へ開く。
【０００９】
該第一回転軸ユニットは、第二トルクバネと第一定位軸を有し、該第二トルクバネは、上向きの弾力を提供し、これにより該サポートフレームは上方へと開く。
【００１０】
該第二回転軸ユニットは、回転軸、ダンパー、２個の第二定位軸及び第三トルクバネを有する。
該ダンパーは、該回転軸の片側に接続する。
該第三トルクバネは、該回転軸の反対側に設置し、該第二定位軸は、該固定台及び該回転軸を貫通し、該第三トルクバネは、上向きの弾力を提供し、こうして該拡大モジュールは上方へと開き、該ダンパーにより、該拡大モジュールが開く速度は安定し、一致する。
【００１１】
該収容設置空間には、固定部材を設置する。
【００１２】
該固定台底側には、スタンドを設置し、該スタンドは、必要に応じて該固定台の持ちあげ角度を調整する。
【００１３】
該サポートフレームには、開口を設置する。
【００１４】
該背蓋には、係合爪を設置し、該固定台には、係合槽及び少なくとも１個の操作部材を設置し、該操作部材は、該固定台の片側辺に設置され、該係合爪は、該係合槽に係合され、該背蓋を収納する。
【００１５】
本考案の仮想ディスプレイデバイスの第二実施形態は、固定台、反射モジュール、拡大モジュール、少なくとも１個のサポートフレームを有する。
該固定台には、収容設置空間を設置する。
該反射モジュールは、反射片を有し、該反射片は、投射イメージを受け取り、該投射イメージを反射する。
該拡大モジュールは、拡大片及び背蓋を有し、該拡大片と該背蓋とは、結合する。
該拡大片は、該反射片の反射イメージを受け取り、該反射イメージを拡大して表示する。
該少なくとも１個のサポートフレームは、フレーム体、第一回転軸ユニット及び第二回転軸ユニットを有し、該第一回転軸ユニットは、該フレーム体の一端に設置される。
該第二回転軸ユニットは、該フレーム体の反対端に設置される。
該第一回転軸ユニットと該反射モジュールとは枢接する。
該第二回転軸ユニットは、該拡大モジュールと該固定台に枢接する。
該拡大モジュールの背蓋と該サポートフレームは開く時、同一軸心で回転し、該固定台は、該第二回転軸ユニットにより該背蓋を連結し、ボックス体を構成する。
該ボックス体内部空間には、該反射モジュールを収納する。
【００１６】
該反射片は、凸面鏡である。
【００１７】
該拡大片は、凹面鏡である。
【００１８】
該反射モジュール片側には、少なくとも第一枢接台を設置し、該第一枢接台には、第一軸孔を設置し、該第一回転軸ユニットは、第一回転軸及び第一トルクバネを有し、該第一回転軸は、該第一軸孔に枢接され、該第一トルクバネは、上向きの弾力を提供し、これにより該反射モジュールは上方へと開く。
【００１９】
該拡大モジュール片側には、少なくとも第二枢接台を設置し、該第二回転軸ユニットは、軸孔台、第二回転軸及び第二トルクバネを有する。
該固定台片側には、回転軸サポート台を設置し、該第二回転軸は、該第二枢接台と該回転軸サポート台に枢接され、該第二トルクバネは、上向きの弾力を提供し、これにより該拡大モジュール及び該サポートフレームは、上方へと開く。
【００２０】
該固定台底側には、スタンドを設置し、該スタンドは、必要に応じて該固定台の持ちあげ角度を調整する。
【００２１】
該固定台反対側には、第一嵌合機構を設置し、該拡大モジュール反対側には、第二嵌合機構を設置し、該第二嵌合機構と該第一嵌合機構とは対応して嵌合し、該背蓋を固定する。
【００２２】
該収容設置空間には、固定部材を設置する。
【００２３】
該固定台は、該第二回転軸ユニットにより、該背蓋及び該サポートフレームに連結し、ボックス体を構成する。
【００２４】
該第二枢接台には、第一位置限定欠槽を設置し、該第二回転軸ユニットには、第二位置限定欠槽を設置し、該第一位置限定欠槽と該第二位置限定欠槽とは、対応して嵌合し、これにより、該背蓋が上方へと所定の位置まで開くと、該サポートフレームと係合して連動し、回転して作動する。
【考案の効果】
【００２５】
本考案の仮想ディスプレイデバイスにより、ポータブル電子デバイスの固定台は、第二回転軸ユニットにより背蓋を連結してボックス体を構成し、収納に便利である。
【図面の簡単な説明】
【００２６】
【図１】従来の技術の模式図である。
【図２】本考案の第一実施形態の立体分解模式図である。
【図３】本考案の第一実施形態の展開模式図である。
【図４】本考案の第一実施形態の畳んだ状態の模式図である。
【図５】本考案の第一実施形態の立体外観模式図である。
【図６】本考案の第一実施形態の操作模式図（一）である。
【図７】本考案の第一実施形態の操作模式図（二）である。
【図８】本考案の第一実施形態の操作模式図（三）である。
【図９】本考案の第一実施形態光路模式図である。
【図１０】本考案の第二実施形態の立体分解模式図である。
【図１１】本考案の第二実施形態の展開模式図の断面図である。
【図１２】本考案の第二実施形態の畳んだ状態の模式図の断面図である。
【図１３】本考案の第二実施形態の立体外観模式図である。
【図１４】本考案の第二実施形態の操作模式図（一）である。
【図１５】本考案の第二実施形態の操作模式図（二）である。
【図１６】本考案の第二実施形態の操作模式図（三）である。
【図１７】本考案の第二実施形態の第一位置限定欠槽が第二位置限定欠槽に係合する状態を示す模式図である。
【図１８】本考案の第二実施形態光路模式図である。
【考案を実施するための形態】
【００２７】
（一実施形態）
図２〜図５に示す通り、本考案の仮想ディスプレイデバイスＡの第一実施形態は、固定台３、反射モジュール４、拡大モジュール５を有する。
【００２８】
固定台３には、収容設置空間３１及び少なくとも１個の操作部材３２を設置する。
収容設置空間３１には、固定部材３１０を設置する。
固定部材３１０は、磁石、ナノ磁石或いは吸盤である。
固定部材３１０は、ポータブル電子デバイスＴ１を吸着する。
操作部材３２は、固定台３の片側辺に設置される。
操作部材３２は、プッシュボタン３２１及び第一トルクバネＳ１を有し、第一トルクバネＳ１はその弾力で、プッシュボタン３２１を押す。
【００２９】
反射モジュール４は、少なくとも反射片４１、第一回転軸ユニット４２及びサポートフレーム４３を有する。
反射片４１は、凸面鏡で、反射片４１片側とサポートフレーム４３とは枢接する。
反射片４１は、投射イメージを受け取り、投射イメージを反射し、第一回転軸ユニット４２は、固定台３とサポートフレーム４３を枢接する。
【００３０】
拡大モジュール５は、拡大片５１、第二回転軸ユニット５２及び背蓋５３を有する。
拡大片５１は、凹面鏡で、拡大片５１は、反射片４１の反射イメージを受け取り、反射イメージを拡大して表示する。
拡大片５１と背蓋５３とは、結合する。
第二回転軸ユニット５２は、固定台３に枢接する。
虚像結像の原理は、凹面鏡を通した結像で、凹面鏡結像公式は以下の通りである。
１／ｐ＋１／ｑ＝１／ｆ（ｆはフォーカス距離で、ｑは物距離で、ｐは像距離）
一般に拡大倍率は、虚像を拡大でき、つまり同比率で虚像距離離を遠くできる。
理想的な状態はおよそ四倍から六倍の間で、これにより使用者の視覚は最良の状態を達成するが、拡大倍率が過大なら、使用者はめまいを感じやすい。
好ましい状況は、虚像結像と使用者の目Ｅとの距離は１ｍ以上である。
よって、結像は、拡大片５１前方約１ｍである必要があり、拡大片５１は、反射片４１の反射イメージを受け取り、反射イメージを拡大して表示する。
背蓋５３と第二回転軸ユニット５２とは、連結し、第二回転軸ユニット５２は、拡大片５１と固定台３の間に設置される。
【００３１】
固定台３は、第二回転軸ユニット５２により背蓋５３を連結し、ボックス体を構成する。
固定台３は、反射片４１とサポートフレーム４３を収納する。
【００３２】
ポータブル電子デバイスＴ１は、スマートフォン、タブレットＰＣ、或いはスクリーンを有する電子デバイスである。
【００３３】
固定台３片側には、プッシュボタン孔３１１、第一孔柱３１２及び第二孔柱３１３を設置する。
プッシュボタン３２１は、プッシュボタン孔３１１内に取り付け、第一トルクバネＳ１は、プッシュボタン３２１を押す。
第一トルクバネＳ１は、軸片３２３により定位される。
軸片３２３には、定位柱３２４を設置する。
定位柱３２４は、第一トルクバネＳ１を通過後、第一孔柱３１２に挿入して設置される。
固定台３反対側には、対応する２個の第一軸孔３１４を設置する。
【００３４】
第一回転軸ユニット４２は、少なくとも第二トルクバネＳ２と第一定位軸４２１を有する。
サポートフレーム４３片側には、相互に対応する２個の第二軸孔４３２を設置する。
第一定位軸４２１一端は、第二軸孔４３２及び第二トルクバネＳ２を通過後、第二孔柱３１３に固定される。
サポートフレーム４３反対側には、２個の第三軸孔４３３及び開口４３１を設置する。
開口４３１により、使用者は、開口４３１を通して、ポータブル電子デバイスＴ１を操作する。
第二トルクバネＳ２は、上向きの弾力を提供し、これによりサポートフレーム４３は上方へと開く。
【００３５】
背蓋５３には、少なくとも１個の係合爪５３１を設置する。
固定台３のプッシュボタン３２１には、係合槽３２２を設置する。
背蓋５３を閉める時、係合爪５３１は、係合槽３２２に係合し、背蓋５３を固定する（図４参照）。
【００３６】
固定台３底側とスタンド３３一端のピボット３３１とは枢接する。
スタンド３３は、必要に応じて、固定台３の持ちあげ角度を調整でき、使用者は最良の視角で、拡大後に空中結像されるイメージを見ることができる。
【００３７】
反射片４１片側には、対応する２個の支軸４１１を設置する。
支軸４１１は、第三軸孔４３３に枢接し、しかも支軸４１１は、第四トルクバネＳ４に対応する。
第四トルクバネＳ４は、上向きの弾力を提供し、こうして反射片４１は上方へ開く。
【００３８】
蓋合状態から観賞位置へと展開する作動を示す図２、３及び図５〜８に示す通り、本考案の第一実施形態では、操作時に先ず固定台３底部のスタンド３３外向きに展開させ、必要に応じて固定台３の持ちあげ角度を調整する（図６参照）。
続いて、プッシュボタン３２１を押し、係合爪５３１を係合槽３２２から離脱させる（図７参照）。
これにより、背蓋５３、サポートフレーム４３及び反射片４１は同期に翻って展開する（図８参照）。
背蓋５３片側には、軸管５３２を設置する。
第二回転軸ユニット５２は、軸管５３２内に取り付ける。
第二回転軸ユニット５２は、回転軸５２１、ダンパー５２２、２個の第二定位軸５２３及び第三トルクバネＳ３を有する。
ダンパー５２２は、回転軸５２１の片側に接続する。
第三トルクバネＳ３は、回転軸５２１の反対側に設置し、第二定位軸５２３を固定台３の第一軸孔３１４及び回転軸５２１両側端の定位軸孔５２４に通し、第二回転軸ユニット５２により、固定台３と背蓋５３を枢接する。
第三トルクバネＳ３は、上向きの弾力を提供し、これにより拡大モジュール５上方へと開く。
ダンパー５２２により、拡大モジュール５が開く速度は安定し、一致する。
【００３９】
本考案の第一実施形態の光路模式図である図９に示す通り、ポータブル電子デバイスＴ１スクリーン上のイメージは、反射片４１の反射光路Ｌ１を経て、使用者の目Ｅは、拡大片５１を経て、反射片４１の反射イメージを受け取る。
この拡大光路Ｌ２を経ることで、遠方結像区Ｅ１の拡大イメージを見ることができる。
【００４０】
図１０〜図１３に示す通り、本考案の仮想ディスプレイデバイスＡ’の第二実施形態は、固定台６、反射モジュール７、拡大モジュール８、少なくとも１個のサポートフレーム９を有する。
【００４１】
固定台６には、収容設置空間６１を設置する。
収容設置空間６１には、固定部材６１０を設置する。
固定台６片側には、回転軸サポート台６２を設置する。
回転軸サポート台６２は、台体６２１及び台蓋６２２を有する。
台体６２１両側には、穿設孔６２３を設置する。
固定台６反対側には、第一嵌合機構６３を設置する。
第一嵌合機構６３は、第一収容設置槽６３１及び第一嵌合部材６３２を有する。
第一嵌合部材６３２は、第一収容設置槽６３１に取り付けられる。
【００４２】
反射モジュール７は、反射片７１を有する。
反射片７１は、凸面鏡で、反射モジュール７片側には、少なくとも第一枢接台７２を設置する。
第一枢接台７２には、第一軸孔７２１を設置する。
反射片７１は、投射イメージを受け取り、投射イメージを反射する。
【００４３】
拡大モジュール８は、拡大片８１及び背蓋８２を有する。
拡大片８１は、凹面鏡で、拡大片８１は、反射片７１の反射イメージを受け取り、反射イメージを拡大して表示する。
拡大片８１と背蓋８２とは、結合する。
拡大モジュール８片側には、少なくとも第二枢接台８３を設置する。
第二枢接台８３には、収容設置孔８３０、第二軸孔８３１及び第一位置限定欠槽８３２を設置する。
収容設置孔８３０と第二軸孔８３１は同一中心線上で相互に通じる。
第一位置限定欠槽８３２は、収容設置孔８３０の孔縁に位置する。
拡大モジュール８反対側には、第二嵌合機構８４を設置する。
第二嵌合機構８４には、第二収容設置槽８４１及び第二嵌合部材８４２を有する。
第二嵌合部材８４２は、第二収容設置槽８４１に取り付けられる。
拡大モジュール８の虚像結像の原理は、凹面鏡の結像を通して、凹面鏡の結像公式は以下の通りである。
１／ｐ＋１／ｑ＝１／ｆ（ｆはフォーカス距離、ｑは物距離、ｐは像距離である）。
一般に拡大倍率は、虚像を拡大でき、つまり同比率で虚像距離離を遠くできる。
理想的な状態はおよそ四倍から六倍の間で、これにより使用者の視覚は最良の状態を達成するが、拡大倍率が過大なら、使用者はめまいを感じやすい。
好ましい状況は、虚像結像と使用者の目Ｅとの距離は１ｍ以上である。
よって、結像は、拡大片８１前方約１ｍである必要があり、拡大片８１は、反射片７１の反射イメージを受け取し、反射イメージを拡大して表示する。
【００４４】
少なくとも１個のサポートフレーム９は、フレーム体９１、第一回転軸ユニット９２及び第二回転軸ユニット９３を有する。
第一回転軸ユニット９２は、フレーム体９１の一端に設置される。
第一回転軸ユニット９２は、第一回転軸９２１及び第一トルクバネＳ１’を有する。
第一回転軸９２１は、第一トルクバネＳ１’を貫通後、第一枢接台７２の第一軸孔７２１に枢接する。
第一トルクバネＳ１’は、上向きの弾力を提供し、これにより反射モジュール７は上方へと開く。
第二回転軸ユニット９３は、フレーム体９１の反対端に設置される。
第二回転軸ユニット９３は、軸孔台９３１、第二回転軸９３２及び第二トルクバネＳ２’を有する。
軸孔台９３１には、軸孔９３３及び第二位置限定欠槽９３４を設置する。
第二回転軸９３２は、軸孔９３３、第二トルクバネＳ２’を貫通後、第二枢接台８３の第二軸孔８３１と固定台６の穿設孔６２３に枢接する。
第二トルクバネＳ２’は、上向きの弾力を提供し、これにより拡大モジュール８及びサポートフレーム９は上方へと開く。
【００４５】
拡大モジュール８の背蓋８２とサポートフレーム９は開く時、同一軸心で回転し、固定台６は、第二回転軸ユニット９３により背蓋８２に連結し、ボックス体を構成する。
ボックス体内部空間Ａ１’には、反射モジュール７を収納する。
【００４６】
該固定部材６１０は、磁石、ナノ磁石或いは吸盤である。
固定部材６１０は、ポータブル電子デバイスＴ１を吸着する。
【００４７】
ポータブル電子デバイスＴ１は、スマートフォン、タブレットＰＣ、或いはスクリーンを有する電子デバイスである。
【００４８】
第一嵌合機構６３の第一嵌合部材６３２は、磁性部材、吸磁部材或いは係合槽である。
第一嵌合機構６３は、固定台６反対側に取り付けられる。
固定台６底部は、第一嵌合機構６３の位置に対応し、底蓋６３３を蓋設する。
【００４９】
第二嵌合機構８４の第二嵌合部材８４２は、磁性部材、吸磁部材或いは係合爪である。
背蓋８２と固定台６を蓋合する時、第二嵌合機構８４と第一嵌合機構６３とは対応して嵌合し、背蓋８２を固定する（図１２参照）。
【００５０】
第二枢接台８３の第一位置限定欠槽８３２は、第二回転軸ユニット９３の第二位置限定欠槽９３４と対応して嵌接される。
これにより、背蓋８２が上へと翻り、所定の位置に至ると、サポートフレーム９と係合して連動し、回転して作動する。
【００５１】
固定台６は、第二回転軸ユニット９３により、背蓋８２及びサポートフレーム９に連結し、ボックス体を構成する。
【００５２】
固定台６の底側とスタンド６４一端のピボット６４１とは枢接する。
スタンド６４は、必要に応じて、固定台６の持ちあげ角度を調整でき、使用者は最良の視角で、拡大後に空中結像されるイメージを見ることができる。
【００５３】
図１０、図１１、及び図１４〜図１７は、本考案の第二実施形態において、蓋合状態（図１４参照）から観賞位置へと展開する作動模式図である。
操作時には先ず、指で拡大モジュール８の背蓋８２を上向きに開ける。
上向きに開ける力は、第二嵌合機構８４と第一嵌合機構６３の嵌合力より大きいため、背蓋８２を簡単にめくり開けることができる（図１５参照）。
これにより、背蓋８２は係合せず、第二トルクバネＳ２’はその弾力で、背蓋８２を上方へと開けることができる。
所定の位置までめくり開けられると（４５度の角度まで等）、第一位置限定欠槽８３２は、第二位置限定欠槽９３４の片側辺にロックされる。
この時、第二トルクバネＳ２’の弾力は、同期にサポートフレーム９を連動し上方へと回転作動させ、反射片７１はサポートフレーム９の回転移動、及び第一トルクバネＳ１’の弾力に従い、反射片７１を展開位置まで開ける（図１１、図１６参照）。
【００５４】
本考案を畳む時には、先ず手で背蓋８２を下向きに押し、所定の位置まで回転する（４５度の角度まで等）と、第一位置限定欠槽８３２と第二位置限定欠槽９３４の係合状態は解除され、反射モジュール７はサポートフレーム９の回転移動に従い縮合する。
第一トルクバネＳ１’及び第二トルクバネＳ２’は圧縮状態となり、背蓋８２は畳み位置まで回転すると（図１２参照）、第二嵌合機構８４と第一嵌合機構６３とはちょうど嵌合し、固定台６は第二回転軸ユニット９３により背蓋８２とサポートフレーム９を連結し、ボックス体を構成し、ボックス体内部空間Ａ１’には、反射モジュール７を収納できる。
【００５５】
本考案の第二実施形態の光路模式図である図１８に示す通り、ポータブル電子デバイスＴ１スクリーン上のイメージは、反射片７１の反射光路Ｌ１を経て、使用者の目Ｅは、拡大片８１を経て、反射片７１の反射イメージを受け取る。
この拡大光路Ｌ２を経ることで、使用者は、遠方結像区Ｅ１の拡大イメージを見ることができる。
【００５６】
本考案の仮想ディスプレイデバイスは、展開後にはイメージを直接拡大できるため、従来の構造の欠点を効果的に解決でき、しかもそれが用いる技術手段は、従来の技術には見られない。
よって、本考案は実用新案登録の要件である新規性及び進歩性を備える。
【００５７】
前述した本考案の実施形態は本考案を限定するものではなく、よって、本考案により保護される範囲は後述される実用新案登録請求の範囲を基準とする。
【符号の説明】
【００５８】
〔従来の技術〕
１  投射鏡
１０、２０  鏡面
１１  ベース
２  拡大鏡
Ｔ  携帯電話
〔本考案〕
Ａ  仮想ディスプレイデバイス
３  固定台
３１  収容設置空間
３１０  固定部材
３１１  プッシュボタン孔
３１２  第一孔柱
３１３  第二孔柱
３１４  第一軸孔
３２  操作部材
３２１  プッシュボタン
３２２  係合槽
３２３  軸片
３２４  定位柱
３３  スタンド
３３１  ピボット
４  反射モジュール
４１  反射片
４１１  支軸
４２  第一回転軸ユニット
４２１  第一定位軸
４３  サポートフレーム
４３１  開口
４３２  第二軸孔
４３３  第三軸孔
５  拡大モジュール
５１  拡大片
５２  第二回転軸ユニット
５２１  回転軸
５２２  ダンパー
５２３  第二定位軸
５２４  定位軸孔
５３  背蓋
５３１  係合爪
５３２  軸管
Ｔ１  ポータブル電子デバイス
Ｓ１  第一トルクバネ
Ｓ２  第二トルクバネ
Ｓ３  第三トルクバネ
Ｓ４  第四トルクバネ
Ｌ１  反射光路
Ｌ２  拡大光路
Ｅ  目
Ｅ１  結像区
Ａ’  仮想ディスプレイデバイス
Ａ１’  内部空間
６  固定台
６１  収容設置空間
６１０  固定部材
６２  回転軸サポート台
６２１  台体
６２２  台蓋
６２３  穿設孔
６３  第一嵌合機構
６３１  第一収容設置槽
６３２  第一嵌合部材
６３３  底蓋
６４  スタンド
６４１  ピボット
７  反射モジュール
７１  反射片
７２  第一枢接台
７２１  第一軸孔
８  拡大モジュール
８１  拡大片
８２  背蓋
８３  第二枢接台
８３０  収容設置孔
８３１  第二軸孔
８３２  第一位置限定欠槽
８４  第二嵌合機構
８４１  第二収容設置槽
８４２  第二嵌合部材
９  サポートフレーム
９１  フレーム体
９２  第一回転軸ユニット
９２１  第一回転軸
９３  第二回転軸ユニット
９３１  軸孔台
９３２  第二回転軸
９３３  軸孔
９３４  第二位置限定欠槽
Ｓ１’  第一トルクバネ
Ｓ２’  第二トルクバネ
【図１】
0003215183.tif 000003
【図２】
0003215183.tif 000004
【図３】
0003215183.tif 000005
【図４】
0003215183.tif 000006
【図５】
0003215183.tif 000007
【図６】
0003215183.tif 000008
【図７】
0003215183.tif 000009
【図８】
0003215183.tif 000010
【図９】
0003215183.tif 000011
【図１０】
0003215183.tif 000012
【図１１】
0003215183.tif 000013
【図１２】
0003215183.tif 000014
【図１３】
0003215183.tif 000015
【図１４】
0003215183.tif 000016
【図１５】
0003215183.tif 000017
【図１６】
0003215183.tif 000018
【図１７】
0003215183.tif 000019
【図１８】
0003215183.tif 000020